(57)【要約】【課題】遊技部材の取付構造及び配線構造を改良することで、遊技部材周辺の美観を損なわず、遊技盤に透光性領域を設けたメリットを最大限に享受することを可能にする。【解決手段】少なくとも一部が透過性領域からなる遊技盤１４と、遊技盤１４側である先端部に嵌合取付部材６７ａ〜６２ｄを有し、嵌合取付部材を遊技盤に形成された挿入部６１に嵌合せて遊技盤の前部に着脱自在に取付けられた遊技部材６０とを備え、挿入部６１の後部の近傍には、遊技盤１４の裏面に沿う方向に面状の遊技盤側接続端子６３ａ、６３ｂが配設され、遊技部材６０には、遊技領域側に向く前部に光源７０、その反対側の後部に遊技盤側接続端子６３ａ、６３ｂとほぼ平行をなす遊技部材側接続端子７１ａ、７１ｂがそれぞれ設けられた配線基板６８が取付けられ、遊技部材６０の嵌合取付部材６７ａ〜６２ｄを挿入部６１に取付けたとき、遊技盤側接続端子６３ａ、６３ｂに遊技部材側接続端子７１ａ、７１ｂが面接触するようにした。【選択図】図４
2008295673.tif 000002
【特許請求の範囲】
【請求項１】
前部に遊技球が転動する遊技領域を有し、該遊技領域の少なくとも一部が透過性領域からなる遊技盤と、
前記遊技盤側である先端部に嵌合取付部材を有し、該嵌合取付部材を前記遊技盤に形成された挿入部に嵌合せて遊技盤の前部に着脱自在に取付けられた遊技部材とを備え、
前記挿入部の後部の近傍には、前記遊技盤の裏面に沿う方向に面状の遊技盤側接続端子が配設され、
前記遊技部材には、前記遊技領域側に向く前部に光源、その反対側の後部に前記遊技盤側接続端子とほぼ平行をなす遊技部材側接続端子がそれぞれ設けられた配線基板が取付けられ、
前記遊技部材の嵌合取付部材を前記挿入部に取付けたとき、前記遊技盤側接続端子に前記遊技部材側接続端子が面接触するようにしたことを特徴とする遊技機。
【請求項２】
前記嵌合取付部は、先端に係止突起を有する弾性係止片からなり、該弾性係止片を前記遊技盤の挿入部の内壁の上下又は左右に形成された一対の係止段部に係止させることを特徴とする請求項１記載の遊技機。
【請求項３】
前記係止段部の係止面に遊技盤側接続端子が取付けられ、前記弾性係止片の係止面に遊技部材側接続端子が取付けられ、前記弾性係止片と前記係止段部のそれぞれの係止面を係止させて前記遊技部材を前記挿入部に取付けたとき、前記遊技盤側接続端子と前記遊技部材側接続端子とが面接触するようにしたことを特徴とする請求項２記載の遊技機。
【請求項４】
前記挿入部の後部には、絶縁部材により隔離された一対の端子板からなる円盤状端子部材の外周に雄ねじ部が形成された遊技盤側接続端子がねじ込まれていることを特徴とする請求項１記載の遊技機。
【請求項５】
前記遊技盤側接続端子には、電気配線の一端が接続され、該電気配線の他端は、前記遊技盤の背面側における前記透過性領域以外の位置に取付けられた制御ユニットに接続されることを特徴とする請求項１ないし４のいずれかに記載の遊技機。
【発明の詳細な説明】
【技術分野】
【０００１】
本発明は、遊技機に関し、特に、透過性領域を有する遊技盤に複数の遊技部材を設けた遊技機に関する。
【背景技術】
【０００２】
従来のパチンコ遊技機などの遊技機は、表示部にマトリクス型のカラー液晶表示装置を使用して変化のある演出表示を可能としたものが主流となっている。このような液晶表示装置などを使用した表示部は、所望の画像を表示することが可能であり、また、ソフトプログラムを変更することにより容易に他の遊技に変更可能であることから、その表示部の面積をできるだけ大きなものとすることが望まれている。
【０００３】
このように大型の液晶表示装置などの表示部を使用した場合には、遊技球の落下に支障をきたさず、さらには障害釘や風車等の障害部材、および複数の遊技部材を形成するために、遊技盤としてＡＢＳ樹脂等からなる光透過性の平板を用い、上記液晶表示装置などの表示部を遊技盤の背後に配置し、遊技者がこの透過性の透過領域を有する遊技盤を介して液晶表示装置などの表示部上の演出表示画像を視認しうるように構成したものが知られている。
【０００４】
ところで、従来のパチンコ遊技機などの遊技機では、低コスト化を図るため、ステージ、大入賞口、始動口等の遊技部材は、遊技機の機種が異なる場合でも汎用化できるように着脱可能に構成することが知られている。例えば、特許文献１には、遊技盤の表面に演出装置（センタ遊技部材）を設けたパチンコ遊技機において、遊技盤の裏面にベースユニットを取り付け、演出装置をベースユニットに着脱自在に取付けるとともに、ベースユニットに設けた雌型コネクタと演出装置に設けた雄型コネクタとにより電気的接続を行うようにした構成が記載されている。
【特許文献１】特開２００６−２６３０３６号公報
【発明の開示】
【発明が解決しようとする課題】
【０００５】
しかしながら、上記特許文献１のように、コネクタを介して演出装置を遊技盤に接続する構造は、遊技盤が不透過性のものである場合はそれほど問題を生じないが、遊技盤が透過性の場合は、コネクタ及び配線部材などが遊技盤の前方から見えてしまい、美観を損なうおそれがある。特に、遊技盤上の遊技球の転動面積を小さくすることなく表示面積を大きくとるために、透過性の遊技盤の背後に演出表示用の液晶表示装置などの表示部を設ける構成をとった場合、例えば、ステージ等のセンタ遊技部材を取り付ける際に、その配線や接続部品が遊技者から透けて見えやすくなり、美観を損なうおそれがある。また、遊技盤が透過性の場合には、遊技部材を遊技盤に取り付けるための構造が大型化したり複雑化したりすると、遊技盤における演出表示面積が減少してしまうという問題がある。このような問題は、特に、液晶表示装置を用いるステージにおいて生じやすいが、他の大入賞口、始動口、通過ゲート等の遊技部材でも、その配線や接続部品が遊技者から透けて見えやすく、美観を損なう点においては同様の課題があった。従って、透過性の遊技盤を用いる遊技機において、美観を損なわず、スペースをあまり取らないように、遊技部材の配線及び取付構造を工夫した遊技機の提供が待望されている。
【０００６】
本発明は、上述した事情に鑑み提案されたもので、遊技部材の取付構造及び配線構造を改良することで、遊技部材周辺の美観を損なわず、遊技盤に透光性領域を設けたメリットを最大限に享受することを可能にした遊技機を提供することを目的とする。
【課題を解決するための手段】
【０００７】
（１）  前部に遊技球が転動する遊技領域を有し、該遊技領域の少なくとも一部が透過性領域からなる遊技盤と、前記遊技盤側である先端部に嵌合取付部材を有し、該嵌合取付部材を前記遊技盤に形成された挿入部６１に嵌合せて遊技盤の前部に着脱自在に取付けられた遊技部材とを備え、前記挿入部６１の後部の近傍には、前記遊技盤の裏面に沿う方向に面状の遊技盤側接続端子が配設され、前記遊技部材には、前記遊技領域側に向く前部に光源、その反対側の後部に前記遊技盤側接続端子とほぼ平行をなす遊技部材側接続端子がそれぞれ設けられた配線基板が取付けられ、前記遊技部材の嵌合取付部材を前記挿入部６１に取付けたとき、前記遊技盤側接続端子に前記遊技部材側接続端子が面接触するようにしたことを特徴とする遊技機。
【０００８】
（１）の発明によれば、遊技盤の挿入部の前部に、大入賞口、演出表示装置、特別領域（始動口）等の所望の遊技部材を取付けると、挿入部の後部の近傍に配設された面状の遊技盤側接続端子に、遊技部材に設けられた配線基板の後面に設けられた遊技盤側接続端子が面接触する。これにより、遊技部材の遊技盤への取付けと遊技盤側への電気的接続が同時に行われる。遊技盤側接続端子は、挿入部の後部の近傍に遊技盤の裏面に沿う方向に配設された面状のものであり、遊技部材に設けられた遊技部材側接続端子は、遊技盤側接続端子とほぼ平行をなす面状のものであるので、遊技部材を挿入部に取付けたとき、遊技盤側接続端子に遊技部材側接続端子が遊技盤の厚み方向に対して最小スペースで接続することが可能となるとともに、接続部分は遊技部材に隠れて前方からは見えないため、透過性の遊技盤であっても美観を損なうことはない。また、遊技部材の取付けと同時に遊技盤側接続端子と遊技部材側接続端子が直接に接続されるため、電気的接続を別途に行う必要がなく、光源用配線、コネクタ等の配線部品及び接続のための配線作業が不要となり、生産性の向上及びメンテナンスの効率化が実現できる。以上のように、遊技部材の取付構造及び配線構造を改良することで、遊技部材周辺の美観を損なわず、遊技盤に透光性領域を設けたメリットを最大限に享受することを可能にした遊技機が提供される。
【０００９】
（２）  （１）に記載の遊技機において、前記嵌合取付部は、先端に係止突起を有する弾性係止片からなり、該弾性係止片を前記遊技盤の挿入部の内壁の上下又は左右に形成された一対の係止段部に係止させることを特徴とする遊技機。
【００１０】
（２）の発明によれば、遊技部材の嵌合取付部を挿入部に嵌合させることにより、固定用部品や工具を使用することなく、遊技部材をワンタッチで遊技盤に取付けることができる。このように、遊技部材の取付構造及び配線構造を改良することで、遊技部材周辺の美観を損なわず、遊技盤に透光性領域を設けたメリットを最大限に享受することを可能にした遊技機が提供される。
【００１１】
（３）  （２）に記載の遊技機において、前記係止段部の係止面に遊技盤側接続端子が取付けられ、前記弾性係止片の係止面に遊技部材側接続端子が取付けられ、前記弾性係止片と前記係止段部のそれぞれの係止面を係止させて前記遊技部材を前記挿入部に取付けたとき、前記遊技盤側接続端子と前記遊技部材側接続端子とが面接触するようにしたことを特徴とする遊技機。
【００１２】
（３）の発明によれば、遊技部材の弾性係止片と遊技盤の係止段部のそれぞれの係止面を係止させて遊技部材を挿入部に取付けたとき、それぞれの係止面に設けた遊技盤側接続端子と遊技部材側接続端子とが面接触する。弾性係止片及び係止段部の係止面を利用して遊技盤側接続端子及び遊技部材側接続端子を取り付けたので、端子の占有スペースが最小限で収まるとともに、接続部分は遊技部材に隠されて露出することがない。このように、遊技部材の取付構造及び配線構造を改良することで、遊技部材周辺の美観を損なわず、遊技盤に透光性領域を設けたメリットを最大限に享受することを可能にした遊技機が提供される。
【００１３】
（４）  （１）又は（２）記載の遊技機において、前記挿入部の後部には、絶縁部材により隔離された一対の端子板からなる円盤状端子部材の外周に雄ねじ部が形成された遊技盤側接続端子がねじ込まれていることを特徴とする遊技機。
【００１４】
（４）の発明によれば、外周に雄ねじが形成されている遊技盤側接続端子を挿入部にねじ込むだけで、遊技盤側接続端子の取り付けが可能となるとともに、挿入部にねじ込んでいるので、取り付けと同時に位置決めも可能になり、他の位置決め手段を採用する必要がなく、構成が簡略化される。このように、遊技部材の取付構造及び配線構造を改良することで、遊技部材周辺の美観を損なわず、遊技盤に透光性領域を設けたメリットを最大限に享受することを可能にした遊技機が提供される。
【００１５】
（５）  （１）ないし（４）のいずれかに記載の遊技機において、前記遊技盤側接続端子には、電気配線の一端が接続され、該電気配線の他端は、前記遊技盤の背面側における前記透過性領域以外の位置に取付けられた制御ユニットに接続されることを特徴とする遊技機。
【００１６】
（５）の発明によれば、遊技機の制御ユニットは透過性領域以外の見えない箇所に設けられ、遊技盤側接続端子と電気配線を介して接続するので、透過性の遊技盤の前方から制御ユニットが見えることはなく、細い電気配線のみ前方から見えない箇所を通して配線すればよいので、美観を損なうことなく制御ユニット及び配線を配置することができる。このように、遊技部材の取付構造及び配線構造を改良することで、遊技部材周辺の美観を損なわず、遊技盤に透光性領域を設けたメリットを最大限に享受することを可能にした遊技機が提供される。
【発明の効果】
【００１７】
本発明によれば、遊技部材の取付構造及び配線構造を改良することで、遊技部材周辺の美観を損なわず、遊技盤に透光性領域を設けたメリットを最大限に享受することを可能にした遊技機が提供される。
【発明を実施するための最良の形態】
【００１８】
以下に、本発明に好適な実施形態について図面に基づいて説明する。なお、以下において説明する実施形態においては、本発明に係る遊技機に好適な実施形態として本発明を第１種パチンコ遊技機（「デジパチ」とも称される）に適用した場合を示す。
【００１９】
［遊技機の構成］
図１は、本実施形態におけるパチンコ遊技機の概観を示す斜視図、図２は、本実施形態における遊技盤の概観を示す正面図である。
【００２０】
図１及び図２に示すように、パチンコ遊技機１０は、前面に開口されている本体枠１２と、その本体枠１２の内部に配設される各種の部品と、本体枠１２の前方に開閉自在に軸着された扉１１とから構成されている。この扉１１は、図１に示すように、本体枠１２の開口を前面から閉鎖するためのものであり、通常閉鎖した状態で遊技が行われる。また、本体枠１２の前面には、上皿２０、下皿２２、発射ハンドル２６などが配設されている。
【００２１】
図２に示すように、本体枠１２の内部には、液晶表示装置３２と、遊技盤１４などが配設されている。遊技盤１４は、その全部が透過性を有する板形状の樹脂（透過性を有する部材）によって形成されている。この透過性を有する部材としては、例えば、アクリル樹脂、ポリカーボネート樹脂、メタクリル樹脂など各種の材質が該当する。また、遊技盤１４は、その前面側に、発射された遊技球が転動可能な遊技領域１５を有している。この遊技領域１５は、ガイドレール３０（具体的には後述の図２に示す外レール３０ａ）に囲まれ、遊技媒体の一例である遊技球が転動可能な領域である。また、遊技盤１４における遊技領域１５には、複数の遊技釘１３が打ちこまれている。このように、遊技盤１４は、遊技球が転動する遊技領域を有する遊技盤の一例である。
【００２２】
液晶表示装置３２は、遊技盤１４の後方（背面側）に配設されている。すなわち、液晶表示装置３２は、遊技盤１４の透過性を有する部材の背後に配置されている。この液晶表示装置３２は、遊技に関する画像の表示を可能とする表示領域３２ａを有している。この表示領域３２ａは、遊技盤１４の全部又は一部に、背面側から重なるように配設される。言い換えると、この表示領域３２ａは、少なくとも、遊技盤１４における遊技領域１５の全部又は一部と重なるように遊技盤１４の後方に配設される。具体的には、液晶表示装置３２は、その表示領域３２ａが遊技領域１５の全部又は一部と、遊技領域外域の全部又は一部とに重なるように遊技盤１４の後方に配設される。この液晶表示装置３２における表示領域３２ａには、演出用の演出画像、装飾用の装飾画像など、各種の画像が表示される。特に、液晶表示装置３２における表示領域３２ａでは、大当たり遊技状態（特別遊技状態）に移行後、特別遊技の実行中に演出用の演出画像が表示される。
【００２３】
このように、本実施形態において、液晶表示装置３２などの表示装置を遊技盤１４の背後に設けることにより、例えば、遊技釘の植設領域や遊技部材、装飾部材といった遊技部材を設ける領域を大きくし、レイアウトの自由度もさらに大きくすることが可能である。
【００２４】
発射ハンドル２６は本体枠１２に対して回動自在に設けられている。また、発射ハンドル２６の裏側には、駆動装置である発射ソレノイド（図示せず）が設けられている。さらに、発射ハンドル２６の周縁部には、タッチセンサ（図示せず）が設けられている。このタッチセンサが遊技者により触接されたときには、遊技者により発射ハンドル２６が握持されたと検知される。発射ハンドル２６が遊技者によって握持され、かつ、時計回り方向へ回動操作されたときには、その回動角度に応じて発射ソレノイドに電力が供給され、上皿２０に貯留された遊技球が遊技盤１４に順次発射され、遊技が進められる。
【００２５】
図３に示されるように、遊技盤１４の左下方には、特別図柄表示器３５ａ、普通図柄表示器３３、特別図柄保留ランプ３４ａ〜３４ｄ、普通図柄保留ランプ５０ａ〜５０ｄ、ラウンド数表示器５１ａ〜５１ｄが設けられている。また、遊技盤１４の右下方には、特別図柄表示器３５ｂ、特別図柄保留ランプ３４ｅ〜３４ｈが設けられている。
【００２６】
特別図柄表示器３５ａは、複数の８セグメントＬＥＤで構成されている。この８セグメントＬＥＤは、所定の特別図柄の変動表示開始条件の成立により、点灯・消灯を繰り返す。８セグメントＬＥＤの点灯・消灯によって、図柄が特別図柄（第１識別情報ともいう）として変動表示される。この特別図柄として、特定の図柄（例えば、“２１”又は“６４”などの数字図柄）が停止表示された場合は、通常遊技状態から遊技者に有利な状態である大当たり遊技状態（特別遊技状態）に遊技状態が移行する。この大当たり遊技状態となった場合には、後述するように、シャッタ４０（図２参照）が開放状態に制御され、大入賞口３９（図２参照）に遊技球が受け入れ可能な状態となる。一方、特別図柄として、特定の図柄以外の図柄（例えば、“‐‐”）が停止表示された場合は、通常遊技状態が維持される。以上のように、特別図柄が変動表示された後、停止表示され、その結果によって遊技状態が移行又は維持されるゲームを「特別図柄ゲーム」という。このように、特別図柄表示器３５ａは、第１始動口２５への遊技球の通過に応じて、図柄が変動する第１図柄表示手段の一例である。
【００２７】
特別図柄表示器３５ａの下方には、普通図柄表示器３３が設けられている。普通図柄表示器３３は、二つの表示用ランプで構成されており、これら表示用ランプが交互に点灯・消灯を繰り返すことによって、普通図柄として変動表示される。
【００２８】
普通図柄表示器３３の下方には、特別図柄保留ランプ３４ａ〜３４ｄが設けられている。この特別図柄保留ランプ３４ａ〜３４ｄは、点灯又は消灯によって保留されている特別図柄の変動表示の実行回数（いわゆる、「第１始動記憶」、「保留球個数」、「特別図柄に関する保留球個数」）を表示する。
【００２９】
普通図柄表示器３３の下方には、普通図柄保留ランプ５０ａ〜５０ｄが設けられている。この普通図柄保留ランプ５０ａ〜５０ｄは、後述するように、点灯又は消灯によって保留されている普通図柄の変動表示の実行回数（いわゆる、「保留球個数」、「普通図柄に関する保留球個数」）を表示する。特別図柄と同様に、普通図柄の変動表示の実行が１回分保留されている場合には、普通図柄保留ランプ５０ａが点灯する。
【００３０】
特別図柄表示器３５ａの左側には、ラウンド数表示器５１ａ〜５１ｄが設けられている。このラウンド数表示器５１ａ〜５１ｄは、特別遊技の実行中においてラウンド数を表示する。なお、このラウンド数表示器５１ａ〜５１ｄは、４つのドットＬＥＤから構成されており、ドッドＬＥＤごとに点灯と消灯の２つのパターンがあるので、少なくとも１６パターンの表示が可能である（２の４乗パターン）。なお、ラウンド数表示器５１は、複数の８セグメントＬＥＤ、液晶表示部、透過性を有する液晶表示部などから構成される場合もある。
【００３１】
特別図柄表示器３５ｂは、複数の８セグメントＬＥＤで構成されている。この８セグメントＬＥＤは、所定の特別図柄の変動表示開始条件の成立により、点灯・消灯を繰り返す。８セグメントＬＥＤの点灯・消灯によって図柄が、特別図柄（第２識別情報ともいう）として変動表示される。この特別図柄として、特定の図柄（例えば、“２１”、“５０”又は“６４”などの数字図柄）が停止表示された場合は、通常遊技状態から遊技者に有利な状態である大当たり遊技状態（特別遊技状態）に遊技状態が移行する。この大当たり遊技状態となった場合には、後述するように、シャッタ４０が開放状態に制御され、大入賞口３９に遊技球が受け入れ可能な状態となる。一方、特別図柄として、特定の図柄以外の図柄（例えば、“‐‐”）が停止表示された場合は、通常遊技状態が維持される。以上のように、特別図柄が変動表示された後、停止表示され、その結果によって遊技状態が移行又は維持されるゲームを「特別図柄ゲーム」という。このように、特別図柄表示器３５ａは、特別通過領域（始動口）４４への遊技球の通過に応じて、図柄が変動する特別図柄表示手段の一例である。
【００３２】
特別図柄表示器３５ｂの右方には、特別図柄保留ランプ３４ｅ〜３４ｈが設けられている。この特別図柄保留ランプ３４ｅ〜３４ｈは、点灯又は消灯によって保留されている特別図柄の変動表示の実行回数（いわゆる、「第２始動記憶」、「保留球個数」、「特別図柄に関する保留球個数」）を表示する。例えば、メインＲＡＭ（図示せず）の始動記憶領域に特別図柄の変動表示の実行が１回分保留されている場合には、特別図柄保留ランプ３４ｅが点灯する。
【００３３】
また、遊技盤１４の後方（背面側）に配設されている液晶表示装置３２の表示領域３２ａでは、特別図柄表示器３５（３５ａ、３５ｂ）において表示される特別図柄と関連する演出画像が表示される。
【００３４】
例えば、特別図柄表示器３５で表示される特別図柄の変動表示中においては、液晶表示装置３２の表示領域３２ａにおいて、数字や記号などからなる識別図柄（演出用の識別情報でもある。例えば、“０”から“９”までの数字）が変動表示される。また、特別図柄表示器３５において変動表示されていた特別図柄が停止表示されるとともに、液晶表示装置３２の表示領域３２ａでも演出用の識別情報が停止表示される。
【００３５】
また、特別図柄表示器３５において特別図柄として特定の数字図柄が停止表示された場合には、大当たりであることを遊技者に把握させる演出画像が液晶表示装置３２の表示領域３２ａにおいて表示される。具体的には、特別図柄表示器３５において特別図柄として特定の数字図柄が停止表示された場合には、液晶表示装置３２の表示領域３２ａにおいて表示される演出用の識別情報の組合せが特定の表示態様（例えば、複数の図柄列のそれぞれに“１”から“９”のいずれかが全て揃った状態で停止表示される態様）となり、さらに、「大当たり！」などの文字画像とともに、喜んでいるキャラクタ画像が液晶表示装置３２の表示領域３２ａにおいて表示される。
【００３６】
図２に示すように、二つのガイドレール３０（３０ａ及び３０ｂ）、ステージ（一時貯留手段）５５、通過ゲート５４ａ、５４ｂ、第１始動口２５、普通電動役物４８を有する第２始動口（特別通過領域）４４、シャッタ４０、大入賞口３９、一般入賞口５６ａ、５６ｂ、５６ｃ、５６ｄなどの遊技部材、及び複数の遊技釘１３から構成される障害物５７等が遊技盤１４上に設けられている。さらに、扉１１の上部には、スピーカ４６が設けられている。
【００３７】
遊技盤１４の左側に設けられている二つのガイドレール３０は、遊技領域１５を区画（画定）する外レール３０ａと、その外レール３０ａの内側に配設された内レール３０ｂとから構成される。発射された遊技球は、遊技盤１４上に設けられたガイドレール３０に案内されて、遊技盤１４の上部に移動し、前述した複数の遊技釘１３、遊技盤１４上に設けられたステージ５５、障害物５７などとの衝突により、その進行方向を変えながら遊技盤１４の下方に向かって流下する。
【００３８】
図２に示すように、遊技盤１４の略中央には、ステージ（一時貯留手段）５５が設けられ、ステージ５５の上部には障害物５７が設けられている。この障害物５７の両側部にはステージ５５に遊技球を進入させるための孔部５７ａ、５７ｂが設けられている。すなわち、発射ハンドル２６の操作によって遊技盤１４に打ち出された遊技球において、障害物５７に衝突した遊技球は障害物５７に沿って左右いずれかに流下する。また、孔部５７ａ、５７ｂに進入した遊技球のみがステージ５５に案内される。ステージ５５の底部には、中央に孔部５５ａが形成され、この孔部５５ａの両側部に孔部５５ｂ、５５ｃが形成されており、ステージ５５に案内された遊技球は、孔部５５ａ又は孔部５５ｂ、５５ｃのいずれかに入球する。孔部５５ａに入球した遊技球は、案内路（図示せず）を介して孔部５５ａの直下に形成された排出口５５ｄから遊技盤１４に戻される。孔部５５ｂ、５５ｃに入球した遊技球は、直接遊技盤１４に戻される。
【００３９】
特別通過領域（始動口）４４内には、遊技球の入賞を検知する始動入賞球センサ（図示せず）を備え、遊技球が始動入賞球センサで検出された場合、遊技球が入賞したと判定される。遊技球が入賞した場合には、特別図柄表示器３５ｂによる特別図柄の変動表示が開始される。また、特別図柄の変動表示中に遊技球が入賞した場合には、変動表示中の特別図柄が停止表示されるまで、特別通過領域４４への遊技球の入賞に基づく特別図柄の変動表示の実行（開始）が保留される。その後、変動表示していた特別図柄が停止表示された場合には、保留されていた特別図柄の変動表示が開始される。なお、特別図柄の変動表示の実行が保留される回数には上限が設定されており、例えば、４回を上限として特別図柄の変動表示が保留される。
【００４０】
また、その他の（所定の特別図柄の変動表示開始）条件としては、特別図柄が停止表示されていることである。つまり、所定の特別図柄の変動表示開始条件が成立するごとに特別図柄の変動表示が開始される。
【００４１】
遊技盤１４の略中央の左右両側には通過ゲート５４ａ、５４ｂが設けられている。この通過ゲート５４ａ、５４ｂには、後述する通過球センサ（図示せず）が設けられている。通過球センサは、遊技球が通過ゲート５４ａ、５４ｂを通過したことを検出する。そして、通過球センサによって遊技球の通過が検出されたときには、普通図柄表示器３３において普通図柄の変動表示が開始され、所定の時間が経過した後、普通図柄の変動表示が停止する。
【００４２】
この普通図柄が所定の図柄で停止表示されたときには、普通電動役物４８に備えられている羽根部材が閉鎖状態から開放状態となり、特別通過領域４４に遊技球が入りやすくなるようになる。また、羽根部材を開放状態とした後、所定の時間が経過したときには、羽根部材を閉鎖状態として、特別通過領域に遊技球が入りにくくなるようにする。本実施形態においては、閉鎖状態の場合はステージ５５の孔部５５ａに進入した遊技球のみが特別通過領域４４内を通過する。開放状態おいては、閉鎖状態の場合はステージ５５の孔部５５ａに進入した遊技球以外に、普通電動役物４８の左右両側からの遊技球が特別通過領域４４内を通過する。以上のように、普通図柄が変動表示された後、停止表示され、その結果によって羽根部材の開放・閉鎖状態が異なってくるゲームを「普通図柄ゲーム」という。
【００４３】
また、特別図柄の変動表示と同じように、普通図柄の変動表示中において通過ゲート５４ａ、５４ｂを遊技球が通過した場合には、変動表示中の普通図柄が停止表示されるまで、当該通過ゲート５４ａ、５４ｂへの遊技球の通過に基づく普通図柄の変動表示の実行（開始）が保留される。その後、変動表示していた普通図柄が停止表示された場合には、保留されていた普通図柄の変動表示が開始される。
【００４４】
上記大入賞口３９、ステージ５５、通過ゲート５４ａ、５４ｂ、特別通過領域（始動口）４４付きの普通電動役物４８等を総称して遊技部材と称する。以下、大入賞口３９を例にとって、その接続構造を詳細に説明する。
【００４５】
図３ないし図５は、本発明の第一実施形態に係わる遊技機の接続構造を示すもので、図３は、遊技部材の接合前の状態を示す断面図、図４は接合後の状態を示す断面図で、図５は、図４のＡ−Ａ線断面図、図６は、遊技部材の背面図である。
【００４６】
遊技盤１４は、前部に遊技球が転動する遊技領域１５を有し、この遊技領域１５の少なくとも一部が透過性領域からなることは前述の通りである。遊技盤１４には、上記大入賞口（遊技部材）３９を構成する大入賞口ユニット（遊技部材）６０を取付ける挿入部６１が形成され、この挿入部６１の後部（遊技領域と反対側）に絶縁材からなる端子支持部材６２が取付けられ、この端子支持部材６２に、面状をなすプラス極の遊技盤側接続端子６３ａとマイナス極の面状の遊技盤側接続端子６３ｂが取付けられている。
【００４７】
大入賞口ユニット６０は、板状の本体６４と、この本体６４に軸６５を介して回転自在に取付けられたシャッタ部材６６と、本体６４の後面の４辺に突出して形成された、弾性を有する嵌合取付部材６７ａ、６７ｂ、６７ｃ、６７ｄとを備えている。左右の嵌合取付部材６７ｃ、６７ｄ間には配線基板６８が取付けられている。配線基板６８の前部には光源７０、その反対側の後部に遊技盤側接続端子６３ａ、６３ｂとほぼ平行に、面状をなすプラス極の遊技部材側接続端子７１ａとマイナス極の面状の遊技部材接続端子７１ｂが取付けられている。
【００４８】
図４及び図５に示すように、嵌合取付部材６７ａ、６７ｂ、６７ｃ、６７ｄを挿入部６１に嵌合することにより、大入賞口ユニット６０は遊技盤１４に取付けられると同時に、遊技盤側接続端子６３ａ、６３ｂに遊技部材側接続端子７１ａ、７１ｂに接触し、遊技部材側の配線基板６８と遊技盤側接続端子６３ａ、６３ｂとの電気的接続がなされる。遊技盤側接続端子６３ａ、６３ｂは、挿入部６１の後部の近傍に遊技盤１４の裏面に沿う方向に配設された面状のものであり、遊技部材側接続端子７１ａ、７１ｂは、遊技盤側接続端子６３ａ、６３ｂとほぼ平行をなす面状のものであるので、大入賞口ユニット６０を挿入部に取付けたとき、遊技部材側接続端子７１ａ、７１ｂに遊技部材側接続端子７１ａ、７１ｂが遊技盤１４の厚み方向に対して最小スペースで接続することが可能となるとともに、接続部分は大入賞口ユニット６０に隠れて前方からは見えないため、透過性の遊技盤１４であっても美観を損なうことはない。図４に示すように、遊技機を制御する制御ユニット８３は透過性の遊技盤からは見えない箇所に配置され、電気配線８６を介して遊技部材側接続端子７１ａ、７１ｂと接続されている。これにより、制御ユニット８３は隠れて前方からは見えないため、透過性の遊技盤１４であっても美観を損なうことはない。
【００４９】
図７は、本発明の第二実施形態に係る遊技機における接続構造を示す。本実施形態では、上下の嵌合取付部材６７ａ、６７ｂを、先端に係止突起７４が形成された弾性係止片７３ａ、７３ｂで構成し、挿入部６１の内壁に係止段部７５ａ、７５ｂを形成した構造としたものである。弾性係止片を挿入部６１に挿入すると、弾性係止片は内方に変形しながら挿入され、係止突起が係止段部の係止することにより、大入賞口ユニット６０は遊技盤１４に取付けられると同時に、遊技盤側接続端子６３ａ、６３ｂに遊技部材側接続端子７１ａ、７１ｂに接触し、遊技部材側の配線基板６８と遊技盤側接続端子６３ａ、６３ｂの制御ユニット８３との電気的接続がなされる。
【００５０】
図８は、本発明の第三実施形態に係る遊技機における接続構造を示す。本実施形態では、係止段部７５ａ、７５ｂの係止面に遊技盤側接続端子７６ａ、７６ｂが取付けられ、弾性係止片７３ａ、７３ｂの係止突起７４の係止面に遊技部材側接続端子７８ａ、７８ｂが取付けられている。弾性係止片７３ａ、７３ｂの係止突起７４と係止段部７５ａ、７５ｂのそれぞれの係止面を係止させたとき、遊技部材側接続端子７８ａ、７８ｂと遊技盤側接続端子７６ａ、７６ｂとが面接触するようになっている。
【００５１】
図１１、図１２、図１３は、本発明の第四実施形態に係る遊技機における接続構造を示す。本実施形態では、絶縁部材８０により隔離された一対の遊技盤側接続端子８１ａ、８１ｂからなる円盤状端子部材８２の外周に雄ねじ部８４が形成され、この円盤状端子部材８２を挿入部６１の後部にねじ込んでいる。本実施形態では、外周に雄ねじ部８４が形成されている円盤状端子部材８２を挿入部６１にねじ込むだけで、遊技盤側接続端子８１ａ、８１ｂの取り付けが可能となるとともに、挿入部６１にねじ込んでいるので、取り付けと同時に位置決めも可能になり、他の位置決め手段を採用する必要がなく、構成が簡略化される。
【００５２】
なお、本発明の実施形態は、上述した構成に限るものではない。上記実施形態では、遊技部材として大入賞口を例にとって説明したが、これにより、に限定されず、ステージ５５、通過ゲート５４ａ、５４ｂ、特別通過領域（始動口）４４付きの普通電動役物４８等に全て適用可能である。また、遊技盤側接続端子６３ａ、６３ｂは、必ずしも挿入部６１内に配置する必要はなく、挿入部６１の後方位置であってもよく、挿入部６１の後部近辺に配置されればよい。
【００５３】
以上説明したように、本実施形態によれば、遊技盤１４の挿入部６１の前部に、大入賞口、演出表示装置、特別領域（始動口）等の所望の遊技部材（役物）を取付けると、挿入部６１の後部の近傍に配設された面状の遊技盤側接続端子６３ａ、６３ｂに、大入賞口ユニット６０に設けられた配線基板６８の後面に設けられた遊技部材側接続端子７１ａ、７１ｂが面接触する。これにより、大入賞口ユニット６０の遊技盤１４への取付けと遊技盤側との電気的接続が同時に行われる。遊技盤側接続端子６３ａ、６３ｂは、挿入部６１の後部の近傍に遊技盤１４の裏面に沿う方向に配設された面状のものであり、大入賞口ユニット（遊技部材）６０に設けられた遊技部材側接続端子７１ａ、７１ｂは、遊技盤側接続端子６３ａ、６３ｂとほぼ平行をなす面状のものであるので、大入賞口ユニット６０を挿入部６１に取付けたとき、遊技盤側接続端子６３ａ、６３ｂに遊技部材側接続端子７１ａ、７１ｂが遊技盤１４の厚み方向に対して最小スペースで接続することが可能となるとともに、接続部分は大入賞口ユニット６０に隠れて前方からは見えないため、透過性の遊技盤であっても美観を損なうことはない。また、大入賞口ユニット６０の取付けと同時に遊技盤側接続端子６３ａ、６３ｂと遊技部材側接続端子７１ａ、７１ｂが直接に接続されるため、電気的接続を別途に行う必要がなく、光源用配線、コネクタ等の配線部品及び接続のための配線作業が不要となり、生産性の向上及びメンテナンスの効率化が実現できる。以上のように、大入賞口ユニット６０の取付構造及び配線構造を改良することで、大入賞口ユニット６０周辺の美観を損なわず、遊技盤１４に透光性領域を設けたメリットを最大限に享受することを可能にした遊技機が提供される。
【００５４】
また、先端に係止突起７４を有する弾性係止片７３ａ、７３ｂからなり、該弾性係止片７３ａ、７３ｂを遊技盤１４の挿入部６１の内壁の上下又は左右に形成された一対の係止段部７５ａ、７５ｂに係止させることにより、固定用部品や工具を使用することなく、大入賞口ユニット６０をワンタッチで遊技盤１４に取付けることができる。
【００５５】
また、係止段部７５ａ、７５ｂの係止面に遊技盤側接続端子７６ａ、７６ｂを取付け、弾性係止片７３ａ、７３ｂの係止面に遊技部材側接続端子７８ａ、７８ｂを取付けたことにより、弾性係止片７３ａ、７３ｂと遊技盤の係止段部７５ａ、７５ｂのそれぞれの係止面を係止させて大入賞口ユニット６０を挿入部６１に取付けたとき、それぞれの係止面に設けた遊技部材側接続端子７８ａ、７８ｂと遊技盤側接続端子７６ａ、７６ｂとが面接触する。弾性係止片７３ａ、７３ｂ及び係止段部７５ａ、７５ｂの係止面を利用して遊技部材側接続端子７８ａ、７８ｂ及び遊技盤側接続端子７６ａ、７６ｂを取り付けたので、端子の占有スペースが最小限で収まるとともに、接続部分は大入賞口ユニット６０に隠されて露出することがない。
【００５６】
また、挿入部６１の後部に、外周に雄ねじ部８４が形成された円盤状端子部材８２をねじ込むようにしたことにより、円盤状端子部材８２を挿入部６１にねじ込むだけで、遊技盤側接続端子６３ａ、６３ｂの取り付けが可能となるとともに、挿入部６１にねじ込んでいるので、取り付けと同時に位置決めも可能になり、他の位置決め手段を採用する必要がなく、構成が簡略化される。
【００５７】
さらにまた、遊技球１４の透過性領域以外の位置に取付けられた制御ユニット８３に遊技盤側接続端子６３ａ、６３ｂの電気配線８６を接続するので、透過性の遊技盤の前方から制御ユニット８３が見えることはなく、細い電気配線８６のみ前方から見えない箇所を通して配線すればよいので、美観を損なうことなく制御ユニット及び配線を配置することができる。
【００５８】
以上のように、本実施形態によれば、遊技部材の取付構造及び配線構造を改良することで、遊技部材周辺の美観を損なわず、遊技盤に透光性領域を設けたメリットを最大限に享受することを可能にした遊技機が提供される。
【００５９】
以上、本発明の実施形態を説明したが、具体例を例示したに過ぎず、特に本発明を限定するものではない。すなわち、本発明は、主に、前部に遊技球が転動する遊技領域を有し、該遊技領域の少なくとも一部が透過性領域からなる遊技盤と、前記遊技盤側である先端部に嵌合取付部材を有し、該嵌合取付部材を前記遊技盤に形成された挿入部６１に嵌合せて遊技盤の前部に着脱自在に取付けられた遊技部材とを備え、前記挿入部６１の後部の近傍には、前記遊技盤の裏面に沿う方向に面状の遊技盤側接続端子が配設され、前記遊技部材には、前記遊技領域側に向く前部に光源、その反対側の後部に前記遊技盤側接続端子とほぼ平行をなす遊技部材側接続端子がそれぞれ設けられた配線基板が取付けられ、前記遊技部材の嵌合取付部材を前記挿入部６１に取付けたとき、前記遊技盤側接続端子に前記遊技部材側接続端子が面接触するようにしたことを特徴とする遊技機であるが、透過性の遊技盤、遊技部材、嵌合取付部材、遊技盤側接続端子、遊技部材側接続端子などの具体的構成は、適宜設計変更可能である。
【００６０】
なお、本発明の実施形態に記載された効果は、本発明から生じる最も好適な効果を列挙したに過ぎず、本発明による効果は、本発明の実施形態に記載されたものに限定されるものではない。
【図面の簡単な説明】
【００６１】
【図１】本発明の一実施形態のパチンコ遊技機の概観を示す斜視図である。
【図２】本発明の一実施形態のパチンコ遊技機における遊技盤の概観を示す正面図である。
【図３】本発明の一実施形態のパチンコ遊技機における遊技部材の接続構造の断面図である。
【図４】本発明の一実施形態のパチンコ遊技機における遊技部材の接続構造の断面図である。
【図５】図４のＡ−Ａ線断面図である。
【図６】本発明の一実施形態の遊技部材の背面図である。
【図７】本発明の第二実施形態のパチンコ遊技機における遊技部材の接続構造の断面図である。
【図８】本発明の第三実施形態のパチンコ遊技機における遊技部材の接続構造の断面図である。
【図９】本発明の第三実施形態のパチンコ遊技機における遊技部材の接続構造の断面図である。
【図１０】図８のＢ−Ｂ線断面図である。
【図１１】本発明の第四実施形態のパチンコ遊技機における遊技部材の接続構造の断面図である。
【図１２】本発明の第四実施形態のパチンコ遊技機における遊技部材の接続構造の断面図である。
【図１３】図１２のＣ方向から見た背面図である。
【符号の説明】
【００６２】
１０  パチンコ遊技機
１４  遊技盤
６０  遊技部材
６１  挿入部
６３ａ、６３ｂ、７６ａ、７６ｂ  遊技盤側接続端子
６７ａ、６７ｂ、６７ｃ、６７ｄ  嵌合取付部材
６８  配線基板
７０  光源
７１ａ、７１ｂ、７８ａ、７８ｂ  遊技部材側接続端子
７３ａ、７３ｂ  弾性係止片
７４  係止突起
８２  円盤状端子部材
８３  制御ユニット
８４  ねじ部
【図１】
2008295673.tif 000003
【図２】
2008295673.tif 000004
【図３】
2008295673.tif 000005
【図４】
2008295673.tif 000006
【図５】
2008295673.tif 000007
【図６】
2008295673.tif 000008
【図７】
2008295673.tif 000009
【図８】
2008295673.tif 000010
【図９】
2008295673.tif 000011
【図１０】
2008295673.tif 000012
【図１１】
2008295673.tif 000013
【図１２】
2008295673.tif 000014
【図１３】
2008295673.tif 000015